(57)【要約】【課題】着脱が容易で、しかも装着後には不用意に外れることがない吐出量制限具を得る。【解決手段】ポンプ式液体容器Ａにおける吸い上げ管Ａ２に装着して吸い上げ管Ａ２の押し込み量を制限するものであり、その本体部材１０は、弾性変形可能な単一部材から成り、ノズルＡ３の押し込み時に該ノズルの下面を受け止める受け部１０ａ、吸い上げ管Ａ２が装着される装着孔１０ｂ、本体部材１０の外縁から装着孔１０ｂに至る閉じた切り込み部１０ｃ、本体部材１０を弾性変形させて切り込み部１０ｃを開放させるつまみ部１０ｄとを有している。【選択図】　　　　図２
2004099061.tif 000002
【特許請求の範囲】
【請求項１】
容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、
前記ノズルの押し込み時に該ノズルの下面を受け止める受け部を有すると共に前記吸い上げ管の押し込み量を制限するだけの厚さを備える弾性変形可能な本体部材からなり、該本体部材は、前記吸い上げ管が装着される装着孔と、前記本体部材の外縁から前記装着孔に至る閉じた切り込み部と、前記本体部材を弾性変形させて前記切り込み部を開放させるつまみ部とを有することを特徴とするポンプ式液体容器の吐出量制限具。
【請求項２】
前記つまみ部は、前記本体部材における前記切り込み部形成位置と対向する側の側部に形成された一対の突部であること特徴とする請求項１に記載されたポンプ式液体容器の吐出量制限具。
【請求項３】
容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、
前記ノズルの押し込み時に該ノズルの下面を受け止める受け部を有すると共に前記吸い上げ管の押し込み量を制限するだけの厚さを備える弾性変形可能な本体部材からなり、該本体部材は、前記吸い上げ管が装着される装着孔と、前記本体部材の外縁から前記装着孔に至る閉じた切り込み部と、該切り込み部の端に形成された案内凹部とを有することを特徴とするポンプ式液体容器の吐出量制限具。
【請求項４】
前記案内凹部は、前記切り込み部の外側及び内側の両端に形成されることを特徴とする請求項３に記載されたポンプ式液体容器の吐出量制限具。
【請求項５】
前記本体部材の側部に取っ手部を形成したことを特徴とする請求項３又は４に記載されたポンプ式液体容器の吐出量制限具。
【請求項６】
容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、
前記ノズルの押し込み時に該ノズルの下面を受け止める受け部を有すると共に前記吸い上げ管の押し込み量を制限するだけの厚さを備える弾性変形可能な本体部材からなり、該本体部材は、異なる前記厚さに対応する前記受け面を形成し、前記吸い上げ管が前記厚さに応じて装着される装着孔と、前記本体部材の外縁から前記装着孔に至る閉じた切り込み部とを有するすることを特徴とするポンプ式液体容器の吐出量制限具。
【請求項７】
前記本体部材は、傾斜する側面によって前記厚さが形成されることを特徴とする請求項６に記載されたポンプ式液体容器の吐出量制限具。
【請求項８】
前記本体部材は、階段状に形成された側面によって前記厚さが形成されることを特徴とする請求項６に記載されたポンプ式液体容器の吐出量制限具。
【請求項９】
前記本体部材は、前記厚さに対応した受け面を有する複数の部材が選択的に積層されることを特徴とする請求項６に記載されたポンプ式液体容器の吐出量制限具。
【発明の詳細な説明】
【０００１】
【発明の属する技術分野】
本発明は、ポンプ式液体容器の液体吐出量を制限する吐出量制限具に関するものである。
【０００２】
【従来の技術】
ポンプ式液体容器は、石鹸，シャンプー，リンス等の容器として広く普及している。このポンプ式液体容器は、容器内に配備されたポンプ機構の作動部材を兼ねる吸い上げ管を、容器の口部から該口部を気密に封止するキャップを介して垂直に突出させ、該吸い上げ管の上部に設けたノズルの頭部を下方に押圧して吸い上げ管を押し込むことで、容器内の液体を吸い上げ管及びノズルを介して吐出させるものである。
【０００３】
このようなポンプ式液体容器は、キャップから突出した吸い上げ管を押し込むストロークに応じて一動作での吐出量を調整できる構造になっている。しかしながら、このストロークの調整によって必要な量を吐出させるのは困難であり、特に子供が使用する場合には、一般に１回の必要量は少なくて済むにも拘わらず、ノズルがキャップに当接する限界まで吸い上げ管を押し込んでしまい、容器内液体を無駄に吐出してしまうという問題がある。また、これは、経済的な問題に止まらず、石鹸やシャンプー等を濯ぐために要する水の無駄遣いや容器内液体の過剰流出による環境問題としても問題視されている。
【０００４】
これに対処するための比較簡単な解決手段として、下記の特許文献１，特許文献２，特許文献３に記載のものでは、Ｃ字型の吐出量制限具をキャップとノズルとの間の吸い上げ管に装着し、この制限具の厚みによって、吸い上げ管の押し込み量を規制することが提案されている。この従来技術を図１（ａ）によって説明すると、容器Ａ０のキャップＡ１から吸い上げ管Ａ２が突出され、この吸い上げ管Ａ２の上部にノズルＡ３が装着されたポンプ式液体容器Ａに対して、吸い上げ管Ａ２に吐出量制限具Ｂを装着するものである。
【０００５】
【特許文献１】
実用新案登録第３０１９８１１号公報
【特許文献２】
実用新案登録第３０６８４９８号公報
【特許文献３】
実用新案登録第３０８５４３７号公報
【０００６】
【発明が解決しようとする課題】
このような従来の吐出量制限具Ｂは、図１（ｂ）に示されるように、略Ｃ字型の部材であって、ノズルＡ３の押し込み時にノズルＡ３の下面を受け止める受け部Ｂ１を有すると共に吸い上げ管Ａ２の押し込み量を制限するだけの厚さを備える部材であり、中央に吸い上げ管Ａ２が装着される装着孔Ｂ２が形成され、また、吸い上げ管Ａ２への装着或いは取り外しを容易にするために間隙Ｂ３が形成されている。
【０００７】
このような構造の吐出量制限具Ｂによると、装着時には、間隙Ｂ３を介して吸い上げ管Ａ２を装着孔Ｂ２に嵌装し、取り外し時には、間隙Ｂ３を介して吸い上げ管Ａ２を装着孔Ｂ２から外すことができる。しかしながら、常に間隙Ｂ３が開放している構造であるから、吸い上げ管Ａ２に装着した吐出量制限具Ｂが不用意に外れてしまうことがあり、これによって、装着した吐出量制限具Ｂが紛失し易いという問題があった。
【０００８】
また、従来の吐出量制限具Ｂは、吐出量制限具Ｂの厚さに応じて吐出量が制限されるものであるが、厚さは一定であるので、使用者の個人差や使用状況に応じた吐出量制限の調整を行うことができないという問題があった。
【０００９】
本発明は、このような問題に対処することを課題の一つとするものである。すなわち、ポンプ式液体容器の吸い上げ管を押し込む際の押し込み量を制限することで押し込み量の調整を行うことなく１回の押し込み動作による吐出量を制限すること、これによって、例えば押し込み量を調整して吐出させることが困難な子供等が容器内液体を無駄に吐出してしまうという不都合を解消すること、また、その不都合の解消により、容器内液体の無駄遣いによる経済的な問題だけでなく、環境保全或いは環境汚染等の環境問題にも対処できること、そして、ポンプ式液体容器に対してこのような問題解決のために装着される吐出量制限具が、容易に着脱できると共に、一旦装着した後には不用意に外れないようにすること、或いは使用者の個人差等に応じて吐出量制限の調整を行うことができること等が本発明の目的である。
【００１０】
【課題を解決するための手段】
このような目的を達成するために、本発明によるポンプ式液体容器の吐出量制限具は、以下の各独立請求項に係る構成を少なくとも具備するものである。
【００１１】
請求項１に係る発明は、容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、前記ノズルの押し込み時に該ノズルの下面を受け止める受け部を有すると共に前記吸い上げ管の押し込み量を制限するだけの厚さを備える弾性変形可能な本体部材からなり、該本体部材は、前記吸い上げ管が装着される装着孔と、前記本体部材の外縁から前記装着孔に至る閉じた切り込み部と、前記本体部材を弾性変形させて前記切り込み部を開放させるつまみ部とを有することを特徴とする。
【００１２】
請求項３に係る発明は、容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、前記ノズルの押し込み時に該ノズルの下面を受け止める受け部を有すると共に前記吸い上げ管の押し込み量を制限するだけの厚さを備える弾性変形可能な本体部材からなり、該本体部材は、前記吸い上げ管が装着される装着孔と、前記本体部材の外縁から前記装着孔に至る閉じた切り込み部と、該切り込み部の端に形成された案内凹部とを有することを特徴とする。
【００１３】
請求項６に係る発明は、容器のキャップから吸い上げ管が突出され、この吸い上げ管の上部にノズルが装着されたポンプ式液体容器に対して、前記吸い上げ管に装着して該吸い上げ管の押し込み量を制限する吐出量制限具であって、前記ノズルの押し込み時に該ノズルの下面を受け止める受け部を有すると共に前記吸い上げ管の押し込み量を制限するだけの厚さを備える弾性変形可能な本体部材からなり、該本体部材は、異なる前記厚さに対応する前記受け面を形成し、前記吸い上げ管が前記厚さに応じて装着される装着孔と、前記本体部材の外縁から前記装着孔に至る閉じた切り込み部とを有することを特徴とする。
【００１４】
【発明の実施の形態】
以下、本発明の実施形態を図面を参照して説明する。図２及び図３は本発明の第１又は第２実施形態に係るポンプ式液体容器の吐出量制限具を説明する説明図である。図２はポンプ式液体容器に吐出量制限具を装着した状態を示す説明図であり、図３はその吐出量制限具自体の平面図である。
【００１５】
第１実施形態について説明する。この実施形態に係る吐出量制限具１は、図２に示すように、図１に示したものと同様のポンプ式液体容器Ａ（図１と同一の符号を付して重複した説明を一部省略する。）における吸い上げ管Ａ２に装着して吸い上げ管Ａ２の押し込み量を制限するものであり、その本体部材１０は、弾性変形可能な単一部材から成り、ノズルＡ３の押し込み時に該ノズルの下面を受け止める受け部１０ａ、吸い上げ管Ａ２が装着される装着孔１０ｂ、本体部材１０の外縁から装着孔１０ｂに至る閉じた切り込み部１０ｃ、本体部材１０を弾性変形させて切り込み部１０ｃを開放させるつまみ部１０ｄとを有している。
【００１６】
このような実施形態によると、ポンプ式液体容器Ａの吸い上げ管Ａ２に吐出量制限具１を装着することで、ノズルＡ３の頭を押圧して吸い上げ管Ａ２を押し込んだ際にノズルの下面が受け面１０ａに当接して、本体部材１０の厚さ分だけ吸い上げ管Ａ２の押し込み量が制限される。これによって、吸い上げ管Ａ２の押し込み量を調整することなく１回の押し込み動作を限界まで行った場合にも吐出量を制限することができるので、１回の吐出量が少なくて済む子供の使用等の場合に容器内の溶液を無駄に吐出させることがない。
【００１７】
また、装着する場合には、つまみ部１０ｄにより本体部材１０を弾性変形させることによって閉じている切り込み部１０ｃを開放させて、この開放口を介して装着孔１０ｂ内に吸い上げ管Ａ２を入れることができるので、装着を容易に行うことができ、また、取り外す場合には、同様につまみ部１０ｄにより本体部材１０を弾性変形させることにより切り込み部１０ｃを開放させて、この開放口を介して装着孔１０ｄから吸い上げ管Ａ２を外すことができるので、取り外しも容易に行うことができる。
【００１８】
更には、一旦装着すると、本体部材１０は弾性的に復元して、切り込み部１０ｃは閉じた状態に戻るので、装着孔１０ｂから吸い上げ管Ａ２が外れ難い状態になり、不用意に吸い上げ管Ａ２から吐出量制限具１が外れて、紛失してしまうことを回避できる。なお、本体部材１０の材料としてスポンジなどを用いた場合には、完全に復元せず切り込み部１０ｃが完全に閉じないで間隔が形成される場合がある。このような場合でも、装着孔１０ｂから吸い上げ管Ａ２が外れにくくなり、吐出量制限具１が外れて紛失することを回避できる。
【００１９】
第２実施形態について説明すると、この実施形態は、第１の実施形態に係る吐出量制限具１において、図３に示すように、切り込み部１０ｃの形成位置と対向する側の側部に一対の突部１ｄを形成して、前述のつまみ部１０ｄとしたものである。
【００２０】
この実施形態によると、前述した第１の実施形態と同様の作用を奏することができると共に、一対の突部１ｄ，１ｄを矢印のように寄せ合わせることにより、容易に切り込み部１０ｃを開放させることができる（図３（ｂ）参照）。
【００２１】
図４，図５は、本発明の第３又は第４実施形態に係るポンプ式液体容器の吐出量制限具を説明する説明図である。図４はポンプ式液体容器に吐出量制限具を装着した状態を示す説明図であり、図５はその吐出量制限具自体の平面図である。
【００２２】
第３実施形態について説明する。この実施形態に係る吐出量制限具１は、図４に示すように（前述の実施形態と同一の部分には同一の符号を付して重複した説明を一部省略する。）、吸い上げ管Ａ２に装着して吸い上げ管Ａ２の押し込み量を制限するものであり、その本体部材１０は、弾性変形可能な単一部材から成り、ノズルＡ３の押し込み時に該ノズルの下面を受け止める受け部１０ａ、吸い上げ管Ａ２が装着される装着孔１０ｂ、本体部材１０の外縁から装着孔１０ｂに至る閉じた切り込み部１０ｃ、切り込み部１０ｃの端に形成された案内凹部１０ｅ１とを有している。
【００２３】
このような実施形態によると、吸い上げ管Ａ２の押し込み量を調整することなく１回の押し込み動作を限界まで行った場合にも、本体部材１０の厚さ分だけ吐出量を制限することができるので、１回の吐出量が少なくて済む子供の使用等の場合に容器内溶液を無駄に吐出させることがない点は、前述の各実施形態と同様である。
【００２４】
そして、この実施形態では、装着時には、図５（ｂ）に示すように、案内凹部１０ｅ１を吸い上げ管Ａ２に押し当てることにより、本体部材１０が弾性的に変形して、切り込み部１０ｃが拡げられ、この拡げられた切り込み部１０ｃを介して装着孔１０ｂ内に吸い上げ管Ａ２を入れることができるので、装着を容易に行うことができる。また、一旦装着すると、本体部材１０は弾性的に復元して、切り込み部１０ｃは閉じた状態の戻るので、装着孔１０ｂから吸い上げ管Ａ２が外れ難い状態になり、不用意に吸い上げ管Ａ２から吐出量制限具１が外れて、紛失してしまうことを回避できる。
【００２５】
第４実施形態について説明すると、この実施形態は、第３の実施形態に係る吐出量制限具１において、図５（ａ）に示すように、切り込み部１０ｃの外側及び内側の両端に案内凹部１０ｅ１，１０ｅ２を形成したものである。
【００２６】
この実施形態によると、前述した第３の実施形態と同様の作用を奏することができると共に、図５（ｃ）に示すように、取り外し時には、案内凹部１０ｅ２に内側から吸い上げ管Ａ２を当てて、本体部材１０を切り込み部１０ｃと逆側に引くことにより、本体部材１０が弾性的に変形して切り込み部１０ｃが拡げられ、この拡げられた切り込み部１０ｃを介して装着孔１０ｂから吸い上げ管Ａ２を外すことができるので、吐出量制限具１の取り外しを容易に行うことができる。
【００２７】
図６は、本発明の第５実施形態を説明する説明図である。この実施形態は、同図に示すように（前述の実施形態と同一の部分には同一の符号を付して重複した説明を省略する。）、第３又は第４実施形態と同様の構成を具備すると共に、本体部材１０の側部に取っ手部１０ｆを形成したものである。この実施形態によると、取っ手部１０ｆを持って装着或いは取り外しを行うことができるので、装着或いは取り外しを更に容易に行うことができる。また、取っ手部１０ｆにキャラクター形状や模様を付加することにより、吐出量制限具１を使用する対象者である子供が喜んで使用することを期待することができ、商品価値を高めることができる。
【００２８】
第６実施形態について説明する。この実施形態に係る吐出量制限具１は、図７に示すように（前述の実施形態と同一の部分には同一の符号を付して重複した説明を一部省略する。）、吸い上げ管Ａ２に装着して吸い上げ管Ａ２の押し込み量を制限するものであり、その本体部材１０は、弾性変形可能な単一部材から成り、ノズルＡ３の押し込み時に該ノズルの下面を受け止める受け部１０ａ、吸い上げ管Ａ２が装着される装着孔１０ｂ、本体部材１０の外縁から装着孔１０ｂに至る閉じた切り込み部１０ｃを有している。そして、本体部材１０は異なる厚さｔを有しており、その厚さｔに対応して受け面１０ａが形成されている。また、装着孔１０ｂは、異なる厚さｔに応じて吸い上げ管Ａ２が装着できるように、厚さ変化に沿った長孔になっている。
【００２９】
このような実施形態によると、吸い上げ管Ａ２の押し込み量を調整することなく１回の押し込み動作を限界まで行った場合にも、本体部材１０の厚さ分だけ吐出量を制限することができるので、１回の吐出量が少なくて済む子供の使用等の場合に容器内溶液を無駄に吐出させることがない点は、前述の各実施形態と同様である。
【００３０】
そして、この実施形態では、装着時には、切り込み部１０ｃ付近を持って本体部材１０を弾性的に変形させて切り込み部１０ｃを拡げ、この拡げられた切り込み部１０ｃを介して装着孔１０ｂ内に吸い上げ管Ａ２を入れる。また、一旦装着すると、本体部材１０は弾性的に復元して、切り込み部１０ｃは閉じた状態の戻るので、装着孔１０ｂから吸い上げ管Ａ２が外れ難い状態になり、不用意に吸い上げ管Ａ２から吐出量制限具１が外れて、紛失してしまうことを回避できる。
【００３１】
更には、本外部材１０は異なる厚さｔを有しているので、その厚さｔを適宜に選択して、それに応じた装着孔１０ｂの位置に吸い上げ管Ａ２をセットすることにより、押し込み量の制限量を厚さｔに応じて変更することができる。これによって、吐出量の制限を個人差等に応じて調整することができる。
【００３２】
第８図及び第９図は、第６実施形態をより具体的に示した第７実施形態及び第８実施形態を示す説明図である（前述の実施形態と同一の部分には同一の符号を付して重複した説明を一部省略する。）。図８に示す第７実施形態は、本体部材１０が傾斜する側面を有しており、この傾斜する側面によって異なる厚さｔを形成することで、吐出量制限を連続的に調整できるようにしたものである。図９に示す第８実施形態は、本体部材１０が階段状の側面を有しており、この階段状に形成された側面によって異なる厚さｔ（ｔａ，ｔｂ，ｔｃ）を形成することで、吐出量制限を段階的に調整できるようにしたものである。
【００３３】
図１０は、本発明の第９実施形態を示す説明図である（前述の実施形態と同一の部分には同一の符号を付して重複した説明を一部省略する。）。この実施形態は、異なる厚さｔａ，ｔｂに対応した受け面１０ａを有する複数の本体部材１０１，１０２が選択的に積層されたものである。これによっても、積層される本体部材を適宜に選択することによって段階的に吐出量制限を調整することができる。
【００３４】
【実施例】
以下に、本発明の実施例を図面を参照しながら説明する（以下、前述の説明と同一の箇所には同一の符号を付して一部説明を省略している。）。図１１（ａ）は、本発明の実施例において、ポンプ式液体容器とそれに装着される吐出量制限具との寸法関係を説明する説明図である。
【００３５】
吐出量制限具１における本体部材１０の幅Ｌ１に関しては、ノズルＡ３の下面が受け部１０ａに当接して吸い上げ管Ａ２の押し込みが止まることが必要であるから、ノズルＡ３の幅Ｗより大きいことが必要となる。また、本体部材１０における装着孔１０ｂの径Ｌ２に関しては、吸い上げ管Ａ２に通常形成されているねじ部Ａ４の外径より大きく、ねじ部Ａ４が装着孔１０ｂの内面に引っ掛からない大きさが好ましい。
【００３６】
なお、ノズルＡ３は通常プラスチックにより構成されており、図１１（ｂ）に示すように吸い上げ管Ａ２とノズルＡ３とを複数のリブＡ５により連結しているものもある。図１１（ｂ）は吸い上げ管Ａ２とノズルＡ３の部分を下から見た斜視図である。このような構成のものにおいては、リブＡ５が受け部１０ａに当接して吸い上げ管Ａ２の押し込みを止めるようにすることができる。したがって、このような場合には、本体部材１０の幅Ｌ１はノズルＡ３の幅Ｗより小さくしてもよい。
【００３７】
また、吸い上げ管Ａ２の押し込み時にねじ部Ａ４の下方端部をノズルＡ３の下面に換えて受け部１０ａに当接させたり、或いはねじ部Ａ４を装着孔１０ｂの内面に引っ掛かるようにして、吸い上げ管Ａ２の押し込み量を制限させるようにしてもよい。
【００３８】
吐出量制限具１における本体部材１０の厚さｔは、必要とする吐出量の制限に応じて設定されるものである。この厚さｔによって、限界までの吸い上げ管押し込み量Ｈ０がＨｓに制限されることになり、これに応じて吐出量が制限されることになる。吐出量を段階的に制限したい場合には、図１２に示すように、本体部材（１０１，１０２，１０３）の厚さが異なる（ｔ１，ｔ２，ｔ３）吐出量制限具を複数用意し、これらを組み合わせることによって行うことができる。
【００３９】
また、吐出量をどの程度制限するかについては、使用者の個人差によって異なることも考えられるので、その多様性に対応するためには、例えば、図１３（ａ）に示すように、大きめの厚さＴを有する本体部材１００を形成しておき、これを破線で示すように水平にスライスし、使用者自身が要求する制限量に応じた厚さｔを設定することもできる（図１３（ｂ）参照）。また、スライスされた本体部材１０に対して使用者が切り込み部１０ｃをはさみ等で形成するようにすることで、製造工程の一部を省くことが可能になり（図１３（ｃ）参照）、コストダウンを図ることができる。
【００４０】
図２或いは図３に示したつまみ部１０ｄを有する実施形態において、これらの図では、２個の突部によってつまみ部１０ｄを形成しているが、これに限定されるものではなく、更に複数個の突部によってつまみ部１０ｄを形成することができる。図１４及び図１５に示す吐出量制限具１は、複数個の突部によってつまみ部１０ｄを形成した例である。
【００４１】
図１４に示した例は、本体部材１０に設けられた２個の突部（１ｄ，１ｄ）に加えて象の鼻をモチーフとした突部２ｄを設けたものである。吸い上げ管Ａ２に対する装着或いは取り外し時には、３つの突部のうち任意の二つを選んで寄せ合わせることにより、本体部材１０を弾性変形させて、切り込み部１０ｃを開放させることができる（図１４（ｂ）参照）。
【００４２】
図１５に示した例は、星形状をモチーフとして複数の突部３ｄを形成してつまみ部１０ｄとしたものである。この例においても、吸い上げ管Ａ２に対する装着或いは取り外し時には、複数の突部３ｄのうち任意の二つを選んで寄せ合わせることにより、本体部材１０を弾性変形させて、切り込み部１０ｃを開放させることができる（図１５（ｂ）参照）。
【００４３】
前述した実施形態又は実施例は何れも本体部材１０の形状を円柱状にしているが、本体部材１０の形状はこれに限定されるものではない。本体部材１０の要素として、受け部１０ａ，装着孔１０ｂ，切り込み部１０ｃ，つまみ部１０ｄを有するものであれば特に形状は限定されない。図１６及び図１７は、他の形状からなる本体部材１０の例を示すものである。
【００４４】
図１６に示す例は、矩形状の本体部材１０からなり、カニの爪をモチーフとした突部４ｄによってつまみ部１０ｄを形成している。同図（ｂ）に示すように、つまみ部１０ｄを互いに寄せ合わせることによって、本体部材１０を弾性変形させて切り込み部１０ｃを開放させるものである。
【００４５】
図１７に示す例は、これも矩形状の本体部材１０からなり、車のタイヤをモチーフとした突部５ｄによってつまみ部１０ｄを形成している。同図（ｂ）に示すように、つまみ部１０ｄを互いに寄せ合わせることによって、本体部材１０を弾性変形させて切り込み部１０ｃを開放させるものである。
【００４６】
図１８に示す例は、図２又は図３に示した実施形態における変形例である。ここでは、動物キャラクタの体から延びる尻尾をモチーフとした本体部材１０によって吐出量制限具を形成している。これによると、尻尾を吸い上げ管Ａ２に巻き付けることで装着孔１０ｂが形成されており、その先端が巻き付く手前部分に一部当接することで閉じた切り込み部１０ｃが形成されている。また、巻き付いた部分の上面が受け部１０ａを形成している。これによると、巻き付いた状態を保持する弾性部材で本体部材１０が形成されており、その先端がつまみ部１０ｄを形成し、これを開くように弾性変形させることで先端の切り込み部１０ｃが開放するようになっている。
【００４７】
図１９に示す例は、図６に示した実施形態の変形例である（同一の部分には同一の符号を付して重複する説明を一部省略する。）。同図（ａ）は吐出量制限具の全体斜視図、同図（ｂ）は側面図である。この例は、本体部材１０における切り込み部１０ｃと対向する側の側上部に突片１ｆを形成して、これを取っ手部１０ｆとしている。
【００４８】
これによると、装着時には、この突片１ｆを指先でつまんで、吸い上げ管Ａ２に案内凹部１０ｅ１を押し付けて本体部材１０を弾性変形させることができるので、容易に吸い上げ管Ａ２を装着孔１０ｂ内に入れることができる。また、取り外し時には、この突片１ｆを指先でつまんで、切り込み部１０ｃの逆側に引くことによって、装着孔１０ｂ内の吸い上げ管Ａ２が案内凹部１０ｅ２に押し当てられて本体部材１０を弾性変形させる。これによって、容易に吸い上げ管Ａ２を装着孔１０ｂ内から外すことができる。
【００４９】
図２０に示す例は、図４又は図５に示した実施形態の変形例である（同一の部分には同一の符号を付して重複する説明を一部省略する。）。同図（ａ）は吐出量制限具をポンプ式液体容器に装着した状態を示す説明図であり、同図（ｂ），（ｃ）はその作用を示す説明図である。この例は、動物（又は人）キャラクタの手をモチーフとした本体部材１０によって吐出量制限具を形成している。手が吸い上げ管Ａ２を握った状態で吐出量制限具がポンプ式液体容器に装着される。したがって、手の平内に装着孔１０ｂが形成され、親指と他の指の先端が当接して切り込み部１０ｃが形成されている。また、人差し指と親指の上側が受け部１０ａになる。
【００５０】
これによると、同図（ｂ），（ｃ）に示すように、親指と他の指の外側（爪側）に案内凹部１０ｅ１が形成されることになる。したがって、装着時には、この部分に吸い上げ管Ａ２を押し当てることによって親指と他の指が弾性変形して容易に装着孔１０ｂ内に吸い上げ管Ａ２を入れることができる（同図（ａ）参照）。一旦吸い上げ管Ａ２に装着すると、親指と他の指との間の切り込み部１０ｃは弾性的に復元して閉じるので、不用意に本体部材１０が外れることはない。そして、取り外し時には、本体部材１０を指先と逆側に引くことで指先が変形して案内凹部１０ｅ２が形成され、更に引くと指先の切り込み部１０ｃが開放されて、容易に吸い上げ管Ａ２を装着孔１０ｂ内から外すことができる（同図（ｃ）参照）。
【００５１】
図２１に示す例は、図７〜図９に示した実施形態の変形例である（同一の部分には同一の符号を付して重複する説明を一部省略する。）。同図（ａ）は平面図であり、同図（ｂ）は側面図を示す。この例は、長孔として形成された装着孔１０ｂに吸い上げ管Ａ２を位置決めするための凹凸部１０ｇを形成したものである。これによると、長孔の必要な位置に吸い上げ管Ａ２を固定させることができるので使用時に位置がずれる不都合を解消することができ、設定した吐出量制限の調整位置で繰り返し使用することができる。また、本体部材１０の側面は、図８或いは図９に示した実施形態のように傾斜状又は階段状にしても良いが、図２１（ｂ）に示すように中央付近で最大厚さとなる凸状にすることもできる。
【００５２】
図２２は、図７で示した実施形態の更なる変形例を示すものである（同一の部分には同一の符号を付して重複する説明を一部省略する。）。この例では、厚さｔが異なる本体部材１０に対して、同図（ａ）に示すように直線状のスリットを設けるか又は同図（ｂ）に示すように曲線状のスリットを設けることで装着孔１０ｂを形成している。これによると、同図（ｃ）に示すように、スリットによって形成された装着孔１０ｂを弾性的に拡げるだけで、長孔で形成された装着孔１０ｂをノズルＡ３が通過する大きさに拡げることができ、吸い上げ管Ａ２に対して本体部材１０を装着した後は装着孔１０ｂが閉じて、ノズルＡ３の下面に受け面１０ａが対面するようになる。この例の場合には、装着孔１０ｂが長孔になることを利用して切り込み部１０ｃを無くしており、これにより、装着後に吐出量制限具が不用意に外れてしまう問題を確実に解消している。
【００５３】
図２３は、図１０で示した実施形態の更に具体的な実施例を示すものである（同一の部分には同一の符号を付して重複する説明を一部省略する。）。この例では、異なる厚さｔａ，ｔｂに対応した受け面１０ａを有する複数の本体部材１０１，１０２が選択的に積層されたものにおいて、これらを適当な位置（例では、つまみ部１０ｄ）でピンＰにより軸支したものである。これによると、積層された本体部材１０１，１０２を必要なものだけ残し他を回転させて除くことにより、複数の本体部材を選択して厚さ調整を行うことができる。また、複数の本体部材は常に軸支されて一体になっているので、これらがバラバラになって紛失することを回避できる。
【００５４】
前述した各実施形態又は実施例における本体部材１０の材質例を挙げると、弾性を有し且つ成形が容易な材料であれば良く、シリコンゴム、エラストマ、スポンジゴム、スポンジ、ＰＰ、ＥＶＡ、或いはその他の合成ゴムや発泡体等を用いることができる。これらのゴム材を用いる場合には、型による成型或いは打ち抜きによって形成することができる。
【００５５】
また、本体部材１０は、プラスチックエラストマーによる成形によっても得ることができる。この場合には、図２４及び図２５に示すように、内部に空洞ｋ１を形成するか（図２４参照）、中空部ｋ２を有し薄肉状に形成（図２５）することが望ましく、これによって、容易に変形し且つある程度の弾性を有する本体部材１０を得ることができる。
【００５６】
図２６に示す例は、本体部材１０の肉厚を薄くすることにより、本体部材１０を二つ折りにした例である。これによれば、本体部材１０を二つ折りにした状態で吸い上げ管Ａ２に押し当てて切り込み部１０ｃを拡げることにより、装着孔１０ｂ内に吸い上げ管Ａ２を入れることができる（同図（ｂ）参照）ので、装着を容易に行うことができる。
【００５７】
また、本体部材１０の上面，下面，側面の少なくともいずれかの面或いは全面にゴムやビニールなどのコーティング材をコーティングしたり、これらの材料によって多層構造にすることもできる。この場合には、本体部材１０自体が反発弾性の弱い材料で復元が弱いものであっても、コーティング又は多層構造によって所望の復元力を得て本体部材１０の戻りを良好にすることができる。
【００５８】
本発明の前述した各実施形態又は実施例は、以上のような特徴を有するので、以下の効果を奏することができる。
【００５９】
（１）ポンプ式液体容器の吸い上げ管を押し込む際の押し込み量を制限することで押し込み量の調整を行うことなく１回の押し込み動作による吐出量を制限することができる。
【００６０】
（２）これによって、例えば押し込み量を調整して吐出させることが困難な子供等が容器内液体を無駄に吐出してしまうという不都合を解消することができる。
【００６１】
（４）また、その不都合の解消により、容器内液体の無駄遣いによる経済的な問題だけでなく、環境保全或いは環境汚染等の環境問題にも対処することができる。
【００６２】
（５）そして、ポンプ式液体容器に対してこのような問題解決のために装着される吐出量制限具が、容易に着脱できると共に、一旦装着した後には不用意に外れることがないので、吐出量制限具の紛失を回避できる。
【００６３】
（６）更には、つまみ部、取っ手部、或いは案内凹部等の形状を子供が喜ぶキャラクタ形状等にすることで、吐出量制限具を使用する主要な対象者である子供が喜んで使用することを期待することができ、商品価値を高めることができる。
【００６４】
（７）本体部材の厚さを使用時に適宜に設定することにより、使用者の個人差等に応じて吐出量制限の調整を行うことができる。
【図面の簡単な説明】
【図１】従来技術を示す説明図である。
【図２】本発明の第１又は第２実施形態に係るポンプ式液体容器の吐出量制限具を説明する説明図であり、ポンプ式液体容器に吐出量制限具を装着した状態を示す説明図である。
【図３】本発明の第１又は第２実施形態に係るポンプ式液体容器の吐出量制限具を説明する説明図であり、吐出量制限具自体の平面図である。
【図４】本発明の第３又は第４実施形態に係るポンプ式液体容器の吐出量制限具を説明する説明図であり、ポンプ式液体容器に吐出量制限具を装着した状態を示す説明図である。
【図５】本発明の第３又は第４実施形態に係るポンプ式液体容器の吐出量制限具を説明する説明図であり、吐出量制限具自体の平面図である。
【図６】本発明の第５実施形態を説明する説明図である。
【図７】本発明の第６実施形態を説明する説明図である。
【図８】本発明の第７実施形態を説明する説明図である。
【図９】本発明の第８実施形態を説明する説明図である。
【図１０】本発明の第９実施形態を説明する説明図である。
【図１１】本発明の実施例を説明する説明図であり、同図（ａ）は、ポンプ式液体容器とそれに装着される吐出量制限具との寸法関係を説明する説明図であり、同図（ｂ）は吸い上げ管とノズルの部分を下から見た斜視図である。
【図１２】本発明の実施例を説明する説明図である。
【図１３】本発明の実施例を説明する説明図である。
【図１４】本発明の実施例を説明する説明図である。
【図１５】本発明の実施例を説明する説明図である。
【図１６】本発明の実施例を説明する説明図である。
【図１７】本発明の実施例を説明する説明図である。
【図１８】本発明の実施例を説明する説明図である。
【図１９】本発明の実施例を説明する説明図である。
【図２０】本発明の実施例を説明する説明図である。
【図２１】本発明の実施例を説明する説明図である。
【図２２】本発明の実施例を説明する説明図である。
【図２３】本発明の実施例を説明する説明図である。
【図２４】本発明の実施例を説明する説明図である。
【図２５】本発明の実施例を説明する説明図である。
【図２６】本発明の実施例を説明する説明図である。
【符号の説明】
１　吐出量制限具
１ｄ，２ｄ，３ｄ，４ｄ，５ｄ　突部
１０　本体部材
１０ａ　受け部
１０ｂ　装着孔
１０ｃ　切り込み部
１０ｄ　つまみ部
１０ｅ１，１０ｅ２　案内凹部
１０ｆ　取っ手部
１０ｇ　凹凸部
Ａ　ポンプ式液体容器
Ａ０　容器
Ａ１　キャップ
Ａ２　吸い上げ管
Ａ３　ノズル
Ａ４　ねじ部
Ａ５　リブ
【図１】
2004099061.tif 000003
【図２】
2004099061.tif 000004
【図３】
2004099061.tif 000005
【図４】
2004099061.tif 000006
【図５】
2004099061.tif 000007
【図６】
2004099061.tif 000008
【図７】
2004099061.tif 000009
【図８】
2004099061.tif 000010
【図９】
2004099061.tif 000011
【図１０】
2004099061.tif 000012
【図１１】
2004099061.tif 000013
【図１２】
2004099061.tif 000014
【図１３】
2004099061.tif 000015
【図１４】
2004099061.tif 000016
【図１５】
2004099061.tif 000017
【図１６】
2004099061.tif 000018
【図１７】
2004099061.tif 000019
【図１８】
2004099061.tif 000020
【図１９】
2004099061.tif 000021
【図２０】
2004099061.tif 000022
【図２１】
2004099061.tif 000023
【図２２】
2004099061.tif 000024
【図２３】
2004099061.tif 000025
【図２４】
2004099061.tif 000026
【図２５】
2004099061.tif 000027
【図２６】
2004099061.tif 000028